(57)【特許請求の範囲】
【請求項１】
植栽用水を貯留可能な貯水部と吸水性の植栽床材を載置可能な植栽用空間とを有し、樹脂の一体成形によって形成された植栽容器であって、
互いに対向する２つの前後面に、前記植栽床材を露出させる開口部を形成するための開口部形成予定線が設けられている植栽容器。
【請求項２】
樹脂のブロー成形によって一体成形されている請求項１に記載の植栽容器。
【請求項３】
前記開口部が上下の中心よりも上方に変位配置されており、前記開口部の下方に前記植栽床材を前後方向から支持する一対の支持部が内面向きに突出形成されている請求項１または２に記載の植栽容器。
【請求項４】
両側面に前記植栽用空間に向かって突出する把手部が一体形成されており、前記把手部は前記植栽床材の横向きの移動を規制する規制手段を兼ねている請求項１から３のいずれか一項に記載の植栽容器。
【請求項５】
前記貯水部に供給された所定高さを超える植栽用水を排水するオーバーフロー管が一体形成されている請求項１から４のいずれか一項に記載の植栽容器。
【請求項６】
前記オーバーフロー管は正面視において鉛直線に対して傾斜状に形成されている請求項５に記載の植栽容器。
【発明の詳細な説明】
【技術分野】
【０００１】
本発明は、壁面緑化に代表されるように概して縦向きに延設された面を生育中などの植物で覆うことを可能とする植栽容器に関する。
【背景技術】
【０００２】
この種の植栽容器や植栽具に関連する先行技術文献情報として下記に示す特許文献１がある。この特許文献１では、正面視で四角形の表板と、同形の裏板との間に保水性の基盤を挟み込んでボルトとナットなどで固定し、表板の複数箇所には斜め上向きに開口した植栽用の棚部を設けた植栽容器とし、これをワイヤーなどによって壁面に取り付けることで、壁面緑化用の植栽容器として使用可能とされている。
【先行技術文献】
【特許文献】
【０００３】
【特許文献１】特開２０１０−２３９８７８号公報（００４１〜００４３段落、図１、図２）
【発明の概要】
【発明が解決しようとする課題】
【０００４】
しかし、特許文献１に記された植栽容器や植栽具では、表板と裏板の間に保水性の基盤を挟み込んでボルトとナットなどで固定しているため、必然的に植栽具全体としての重量が大きくなり、したがって、壁面に取り付ける際にも大掛かりな締結手段を必要とする傾向があった。また、特許文献１に記された植栽容器や植栽具では、植栽用の棚部は表板の複数箇所に形成されており、植栽床材を露出させるための開口部をユーザーが自分の意思でアレンジすることは困難であった。
【課題を解決するための手段】
【０００５】
そこで、本発明の目的は、上に例示した従来技術が与える課題に鑑み、比較的軽量で簡単に壁面緑化に使用できる植栽容器を提供することにある。
【０００６】
また、本発明の目的は、上に例示した従来技術が与える課題に鑑み、植栽床材を露出させるための開口部をユーザーが自分の意思でアレンジ可能な植栽容器を提供することにある。
【０００７】
本発明による植栽容器の特徴構成は、
植栽用水を貯留可能な貯水部と吸水性の植栽床材を載置可能な植栽用空間とを有し、樹脂の一体成形によって形成された植栽容器であって、
互いに対向する２つの前後面に、前記植栽床材を露出させる開口部を形成するための開口部形成予定線が設けられている点にある。
【０００８】
上記の特徴構成を備えた植栽容器では、植栽容器そのものが樹脂の一体成形によって形成されているために比較的軽量となっており、この植栽容器の植栽用空間に吸水性の植栽床材を載置しても未だ十分に全体の重量は小さいため、より簡単に壁面緑化に使用することが可能となった。
【０００９】
また、上記の特徴構成を備えた植栽容器では、植栽床材を露出させる開口部を互いに対向する２つの前後面のいずれにも形成可能であり、また、開口部を互いに対向する２つの前後面の双方に形成することも可能であるなど、植栽床材を露出させるための開口部をユーザーが自分の意思でアレンジ可能となった。
【００１０】
本発明による植栽容器の他の特徴構成は、樹脂のブロー成形によって一体成形されている点にある。
【００１１】
本構成であれば、例えば射出成形によって成形される構成に比べると構造の簡単な割型を用いて成形でき、使用する樹脂の量も少なくて済むので軽量化でき、製作コストの低減化も図ることができる。また、本構成であれば、例えば射出成形によって成形される構成に比べて、植栽容器を構成する壁面部を十分に薄くすることができるので、販売者やユーザーがカッターナイフなどの簡便な器具を用いて簡単に開口部を形成することができる。
【００１２】
本発明による植栽容器の他の特徴構成は、前記開口部が上下の中心よりも上方に変位配置されており、前記開口部の下方に前記植栽床材を前後方向から支持する一対の支持部が内面向きに突出形成されている点にある。
【００１３】
本構成であれば、植栽容器の開口部の下方に内面向きに突出形成された一対の支持部によって植栽床材を前後方向から支持することができるので、植栽床材が植栽容器の内部でぐらついたり、植栽用空間で前後いずれかに倒れて植栽床材の一部が開口部から外に出たりして、植栽床材に植え付けた植物の体裁が損なわれる虞などが抑制される。
【００１４】
本発明による植栽容器の他の特徴構成は、その両側面に前記植栽用空間に向かって突出する把手部が一体形成されており、前記把手部は前記植栽床材の横向きの移動を規制する規制手段を兼ねている点にある。
【００１５】
本構成であれば、植栽容器の両側面に植栽用空間に向かって突出した部位を一体形成することで、同部位に対して、植栽容器のハンドリングや植栽容器を壁面に支持するための手段として使用可能な把手部と、植栽床材の横向きの移動を規制する規制手段との２つの機能を同時に果たさせることができる。
【００１６】
本発明による植栽容器の他の特徴構成は、前記貯水部に供給された所定高さを超える植栽用水を排水するオーバーフロー管が一体形成されている点にある。
【００１７】
本構成であれば、植栽容器は樹脂の一体成形という簡単な方法で形成されているにも関わらず、貯水部に供給された所定高さを超える植栽用水を排水するオーバーフロー管が一体形成されているので、貯水部に過剰な植栽用水が貯留される事態を防止でき易い。
【００１８】
本発明による植栽容器の他の特徴構成は、前記オーバーフロー管は正面視において鉛直線に対して傾斜状に形成されている点にある。
【００１９】
もしも２つ以上の植栽容器を上下に重ね合わせ、上側の植栽容器に供給された余分な植栽用水がオーバーフロー管を介して、下側の植栽容器の上面に配置された開口部から下側の植栽容器に供給される形態で実施した場合でも、本構成であれば、オーバーフロー管は正面視において鉛直線に対して傾斜状に形成されているので、必然的に植栽容器の上面に配置された開口部とオーバーフロー管の上端付近とは左右方向で変位した位置に配置されることになり、植栽容器の上面に配置された開口部から供給された植栽用水が貯水部を迂回してオーバーフロー管から外に排出されるなどの事態が生じ難くなる。
【図面の簡単な説明】
【００２６】
【図１】本発明に係る植栽具を示す斜視図である。
【図２】本発明に係る植栽容器を示す斜視図である。
【図３】植栽容器に開口部を設ける過程を示す斜視図である。
【図４】植栽容器に植栽床材を収納する過程を示す斜視図である。
【図５】植栽容器内の植栽床材に植物を植え込む過程を示す斜視図である。
【図６】植栽容器を示す一部破断正面図である。
【図７】植栽容器にフレームを外嵌する前の過程を示す斜視図である。
【図８】植栽容器にフレームを外嵌する途中の過程を示す斜視図である。
【図９】複数の植栽容器に大型のフレームを外嵌した状態を示す斜視図である。
【図１０】複数の植栽容器を組み合わせて壁面に取り付けた例を示す斜視図である。
【発明を実施するための形態】
【００２７】
以下に本発明を実施するための形態について図面を参照しながら説明する。
図１は、本発明に係る植栽具の一例を示し、特に、本発明に係る矩形で透明樹脂製の植栽容器Ａを一つだけ用いており、この植栽容器Ａの内部に給水性の植栽床材Ｂが収納され、植栽容器Ａの外周に比較的剛性の高い着脱自在なフレームＣが外嵌固定され、植栽床材Ｂの植栽用貫通孔Ｈに植物Ｐが植栽されている状態を示している。
【００２８】
植栽容器Ａは、ポリスチレンなどの樹脂のブロー成形によって一体成形されており、図２に例示するように、ブロー成形直後の植栽容器Ａは、互いに前後方向に離間しつつ平行に延びた正面壁部Ａ１と背面壁部Ａ２、正面壁部Ａ１と背面壁部Ａ２が形成する空間を下方から閉じる底壁部Ａ３、同空間を上方から閉じる天壁部Ａ４、同空間を左側方から閉じる第１側壁部Ａ５、同空間を右側方から閉じる第２側壁部Ａ６を有する。
【００２９】
正面壁部Ａ１と背面壁部Ａ２は概して正方形を呈し、底壁部Ａ３、天壁部Ａ４、第１側壁部Ａ５及び第２側壁部Ａ６は、これらの正方形の四辺に沿って延設されている。
植栽容器Ａの全体としては概して矩形板状であり、図２に示すように、正面壁部Ａ１と背面壁部Ａ２が概して鉛直状になるように植栽容器Ａを正立させた状態では、底壁部Ａ３、天壁部Ａ４、第１側壁部Ａ５及び第２側壁部Ａ６の各幅は、正面壁部Ａ１と背面壁部Ａ２の１辺の数分の一（例えば１／５〜１／３の範囲）となる。
【００３０】
ブロー成形では、底壁部Ａ３、天壁部Ａ４、第１側壁部Ａ５、第２側壁部Ａ６に沿って延びる合わせ面を有する２つの半割型（不図示）の間に樹脂のパリソンを挿入し、天壁部Ａ４の左右端部付近に相当する２箇所の吹き込み口からパリソン内に圧縮空気を吹き込むことで、パリソンを半割型内のキャビテイ内面に押し付けることができる。
【００３１】
そのため、ブロー成形直後の天壁部Ａ４の左右端部付近には、一点鎖線で示すように、パリソンの一部が２つの小さなドーム状の余端部３Ａ，３Ｂとして残存しているが、半割型からの脱型後の任意の時点で余端部３Ａ，３Ｂを基端部で切り取ることで、天壁部Ａ４の左右端部付近には、２つの上面開口部４Ａ，４Ｂが形成されている。
上面開口部４Ａ，４Ｂの少なくとも一方は、植栽容器Ａに収納された植栽床材Ｂを介して植物Ｐに植栽用水Ｗを供給するための給水口として利用される。
【００３２】
底壁部Ａ３、天壁部Ａ４、第１側壁部Ａ５、第２側壁部Ａ６に沿って２つの半割型の境界面に由来するバリ痕Ｅが見られ、植栽容器Ａは全体的に概してこのバリ痕Ｅに沿った平面を中心とする面対称形となっている。
【００３３】
正面壁部Ａ１（前後面の一例）の一部には横長な矩形の窓形成予定線５が設けられている。窓形成予定線５は、その矩形の全周に沿って、窓形成予定線５の径方向内側の部位がブロー成形体の内部に向かって約１〜２ｍｍ程度の深さで窪む段状の形態で形成されている。
【００３４】
ブロー成形体は適切な薄さで形成されているので、例えば植栽容器Ａの販売者やユーザーなどが、上記の段差などを利用してカッターナイフなどによって窓形成予定線５の全周に沿って切り込みを入れ、図３に示すように、窓形成予定線５の径方向内側の除去部５Ａを取り去ると、正面壁部Ａ１に矩形の植栽用窓部５Ｂ（開口部の一例）が形成される。
【００３５】
尚、正面壁部Ａ１の反対側の背面壁部Ａ２（前後面の一例）にも全く同様の窓形成予定線５が設けられているので、販売者やユーザーの意図に応じて、正面壁部Ａ１ではなく背面壁部Ａ２（背面部の一例）に植栽用窓部５Ｂ（開口部に対して補助開口部の一例）を形成してもよく、或いは、正面壁部Ａ１と背面壁部Ａ２の双方に植栽用窓部５Ｂを形成することもできる。
【００３６】
このようにして形成された植栽用窓部５Ｂの下縁部よりも下方に位置する植栽容器Ａの内部空間は、上面開口部４Ａ，４Ｂなどから供給された植栽用水Ｗを貯留可能な貯水部として、また、吸水性の植栽床材Ｂを載置可能な植栽用空間として作用する。
【００３７】
図４に示すように、植栽床材Ｂは植栽用窓部５Ｂから収納されるが、図４に示す植栽床材Ｂは植栽用水によって約１．３倍に膨潤した後のサイズで示されており、したがって、膨潤前の植栽床材Ｂは植栽用窓部５Ｂから簡単に収納することができる。
【００３８】
植栽床材Ｂは、例えばウレタンと粉砕された木屑などの混合物からなり、上部から下部までほぼ均一に水分と空気をバランスよく保持でき、且つ、根の生育に必要な空気が保たれ易い。
【００３９】
植栽床材Ｂは幾らか縦長の矩形を呈し、膨潤後の植栽床材Ｂの高さが、植栽容器Ａの底壁部Ａ３の上面から天壁部Ａ４の下面までの距離と略等しいか、同距離より僅かに小さくなるように、また、膨潤後の植栽床材Ｂの厚さが、植栽容器Ａの正面壁部Ａ１の内面から背面壁部Ａ２の内面までの距離より幾らか小さくなるように設定されている。
【００４０】
植栽容器Ａの第１側壁部Ａ５と第２側壁部Ａ６の上下中心よりも僅かに上方には、植栽容器Ａのハンドリングを容易にするめの操作凹部６が陥没状に形成されている。第１側壁部Ａ５と第２側壁部Ａ６の各々を見ると、２つの操作凹部６が縦に延びるバリの痕跡Ｅを挟んで左右対称に設けられており、膨潤後の植栽床材Ｂの幅は、第１側壁部Ａ５の側に位置する操作凹部６の内面から第２側壁部Ａ６の側に位置する操作凹部６の内面までの距離と略同等または同距離より僅かに小さくなるように設定されている。
【００４１】
窓形成予定線５に沿って形成された植栽用窓部５Ｂは、正面壁部Ａ１の上下方向の中心よりも上方に変位した位置に形成されている。
また、概して板状の植栽床材Ｂに対して前後方向に貫通形成された５つの植栽用貫通孔Ｈも、同様に全体として上下方向の中心よりも上方に変位した位置に配置されている。
その結果、図５に示すように、植栽容器Ａに収納された植栽床材Ｂが植栽用水によって膨潤後の状態では、植栽床材Ｂに配置されている５つの植栽用貫通孔Ｈが、このように上方に変位した植栽用窓部５Ｂの内側に概して均等に配分される。
【００４２】
尚、図４、５から理解されるように、植栽用窓部５Ｂの下縁よりも下方に配置される植栽床材Ｂの下方の部位には植栽用貫通孔Ｈが設けられておらず、この部位の左右の側部は正面視において下方に向かって次第に幅が狭くなるテーパ状とされることで、植栽用窓部５Ｂの下縁よりも下方に形成される貯水部の体積をより大きく確保する働きをしている。
【００４３】
正面壁部Ａ１と背面壁部Ａ２の植栽用窓部５Ｂの下縁よりも下方の位置からは、水平に左右に細長く延びた支持突起８（支持部の一例）がブロー成形体の内部に向かってリブ状に突設されている。前後に離間して配置されたこれらの支持突起８は、内部に収納された膨潤後の植栽床材Ｂと前後から当接することで、植栽床材Ｂの姿勢を概して鉛直状に安定させる役割を果たす。
【００４４】
図６に示すように、左側方の第１側壁部Ａ５と底壁部Ａ３との間に相当する位置には、本来の基準水位ＷＬを超える植栽用水を自動的にオーバーフローさせるためのオーバーフロー部１０が一体的に形成されている。
【００４５】
オーバーフロー部１０は、底壁部Ａ３の右端付近から上向きに突出形成された堰部１０Ａと、堰部１０Ａの上端と第１側壁部Ａ５の下端から下方に向かって側方に突出しないように滑らかに延出されたオーバーフロー管１０Ｂとを有する。堰部１０Ａとオーバーフロー管１０Ｂの間は薄板リブ状の補強部１１によって連結されている。
【００４６】
堰部１０Ａの上端は、植栽用窓部５Ｂの下縁よりも幾らか下方に設定された本来の基準水位ＷＬに配置されている。
図６に示すように、ブロー成形直後の状態では、オーバーフロー管１０Ｂの下端は盲管状に閉じられているため、そのままではオーバーフロー部１０として機能せず、販売者やユーザーなどによってオーバーフロー管１０Ｂの下端部が１０Ｃの位置で概して水平に切り取られたときに初めて、堰部１０Ａを超える余分な植栽用水がオーバーフロー管１０Ｂを介して下方にオーバーフローされる状態となる。
【００４７】
例えば、フレームＣを用いずに、２つの植栽容器Ａをそのまま上下に積み重ねた状態で用いる場合には、これらの植栽容器Ａがいずれも正面壁部Ａ１に植栽用窓部５Ｂを形成した同じ形状であれば、植栽容器Ａどうしの左右中心を一致させた時に、上方に配置された植栽容器Ａのオーバーフロー管１０Ｂの下端が、下方に配置された植栽容器Ａの左側の上面開口部４Ａに自然に挿通されるように設定されている。
【００４８】
尚、前述したように、植栽用窓部５Ｂ（開口部、補助開口部）を設ける位置を正面壁部Ａ１と背面壁部Ａ２との間で選択可能とされているので、植栽用窓部５Ｂを正面壁部Ａ１と背面壁部Ａ２のいずれに設けるかで、オーバーフロー管の位置を左右いずれかのユーザーにとって好都合な位置に配置することができる。
【００４９】
また、上面開口部４Ａから真下向きに植栽容器Ａの内部に供給された植栽用水が植栽容器Ａの貯水部に供給されずにオーバーフロー管１０Ｂを介して植栽容器Ａの外部に排出されてしまう事態は生じ難い。これは、オーバーフロー管１０Ｂは、堰部１０Ａの高さと一致する上端から下端に向けて次第に正面視において内側となるように傾斜しているので、オーバーフロー管１０Ｂの上端と上面開口部４Ａとは植栽容器Ａの左右方向で変位した状態となっているためである。また、一般に、上面開口部４Ａから植栽容器Ａの内部に供給された植栽用水は植栽床材Ｂに吸収されるか、または、植栽床材Ｂの表面付近に沿って植栽容器Ａの内部の底部に向かって流下するためである。
【００５０】
図６に示すように、植栽容器Ａの右側方の第２側壁部Ａ６には縦長形状の水位確認部１４が突出形成されている。植栽容器Ａは全体的に透明とされているため、後述するように、植栽容器Ａと植栽床材Ｂのみを組み合わせて用いる場合には、植栽容器Ａの任意の方向から実際の植栽用水Ｗのレベルを確認することができる。しかし、図１に示すように、一般に不透明な素材で形成されているフレームＣを植栽容器Ａに外嵌させて用いる場合には、フレームＣの正面からは水位確認ができないため、フレームＣの右側の側板部Ｃ４に貫通形成されている水位確認窓２４（係止開口部の一例）と、水位確認窓２４と一致する前述の水位確認部１４とを介して植栽用水Ｗのレベルを確認するように構成されている。
【００５１】
フレームＣは、矩形の窓部２０を備えた概して正方形１枚の表板部Ｃ１と、表板部Ｃ１の四辺から直角に延設された４つの側板部Ｃ２，Ｃ３，Ｃ４，Ｃ５とを有する。
フレームＣを植栽容器Ａに外嵌装着させる際には、図７に示すように、植栽用窓部５Ｂを形成した正面壁部Ａ１に表板部Ｃ１が重ね合わされるようにする。
フレームＣの天面側の側板部Ｃ３には植栽用水を供給するための１つの上部貫通孔２１が形成されており、フレームＣの底面側の側板部Ｃ２にはオーバーフロー管１０Ｂから流下した余分な植栽用水を植栽具の外に排水するための１つの下部貫通孔２２が形成されている。
【００５２】
植栽容器Ａの外寸の横幅と高さは概してフレームＣの内寸の横幅と高さと同等とされている。また、植栽容器Ａの水位確認部１４はフレームＣの水位確認窓２４と嵌合可能に形成されており、フレームＣの底面側の下部貫通孔２２（補助係止開口部の一例）はオーバーフロー管１０Ｂの下端部と嵌合可能とされている。
【００５３】
フレームＣを植栽容器Ａに外嵌装着させる際には、図８に例示するように、先ず、植栽容器Ａをその水位確認部１４がフレームＣの水位確認窓２４と近接するように、フレームＣに対して平面視で傾斜した姿勢で進入させ、次に、水位確認部１４を水位確認窓２４に嵌合させるように、植栽容器Ａを回転させながら、植栽容器Ａの植栽容器Ａの第１側壁部Ａ５をフレームＣの右側の側板部Ｃ５の内側に押し入れると、最終的にオーバーフロー管１０Ｂの下端部がフレームＣの下部貫通孔２２と嵌合され、装着が完了する。
【００５４】
尚、オーバーフロー管１０Ｂの下端部が切断によって開口されていても、また、未切断状態で閉鎖されていても、オーバーフロー管１０Ｂの下端部はフレームＣの下部貫通孔２２と嵌合可能とされており、オーバーフロー管１０Ｂの下端部が開口されている場合には、この貫通孔２２はオーバーフロー管１０Ｂから流出する余分な植栽用水Ｗを排水するための排水口として機能する。
【００５５】
フレームＣの天面側の側板部Ｃ３の背面側の左右中央には吊下げ用の係止孔２６が貫通状に形成されており、係止孔２６に通した紐やフックによって、或いは、壁面から立設させた釘状の取付け手段の頭部などを係止孔２６に係止させることで、図１に示す状態の植栽具を壁面に吊下げることが可能である。
【００５６】
植栽容器Ａの天壁部Ａ４の左右中央には上記の紐やフックを通過させるための前後一対の回避凹部１６が形成されているが、これら前後一対の回避凹部１６は、植栽床材Ｂの上端付近を前後方向から支持する機能も果たす。
また、植栽容器Ａの水位確認部１４には、オーバーフロー部１０の堰部１０Ａの高さと対応する基準水位を示す水平な直線状の指標１４Ａが突出形成されている。
【００５７】
図９は、大型のフレームＣＸの内側に４個の植栽容器Ａを上下左右にタイル状に並べた状態で係止させた使用例を示している。
ここでは、ここでは、向かって右側で上下に積み重ねた２つの植栽容器Ａは正面壁部Ａ１に植栽用窓部５Ｂを形成しているが、向かって左側で上下に積み重ねた２つの植栽容器Ａは背面壁部Ａ２に植栽用窓部５Ｂを形成している。したがって、４個の植栽容器Ａは、いずれもオーバーフロー管１０Ｂが左右の中央寄りに配置されることで、全体としてシンメトリー（左右対称）の形態とされている。
【００５８】
フレームＣＸの天面側の側板部Ｃ３には植栽用水を供給するための２つの上部貫通孔２１が形成されており、フレームＣＸの右側の側板部Ｃ４にはオーバーフロー管１０Ｂの下端と嵌合される下部貫通孔２２（不図示）が形成されている。
また、フレームＣＸの左右の側板部には、４個の植栽容器Ａの各水位確認部１４と嵌合する全部で４つの水位確認窓２４が形成されている。
【００５９】
少なくとも上側に位置する２つの植栽容器Ａのオーバーフロー管１０Ｂの下端を開放しておき、これら上側の植栽容器Ａに上面開口部４Ａから植栽用水Ｗを供給すれば、上側の植栽容器Ａにとって余分な植栽用水Ｗはオーバーフロー管１０Ｂを介して下側に位置する２つの植栽容器Ａに供給され、４つの植栽容器Ａに収納されている全ての植栽床材Ｂを保水状態にできる。
【００６０】
尚、図５などから理解されるように、フレームＣを用いずに、植栽容器Ａと植栽床材Ｂのみを組み合わせた植栽具としても利用可能となっている。
図１０は、フレームＣを用いずに、４個の植栽容器Ａを上下左右に並べて壁面に設置した状態を示す。ここでも、向かって右側で上下に積み重ねた２つの植栽容器Ａは正面壁部Ａ１に植栽用窓部５Ｂを形成しているが、向かって左側で上下に積み重ねた２つの植栽容器Ａは背面壁部Ａ２に植栽用窓部５Ｂを形成している。したがって、４個の植栽容器Ａは、いずれもオーバーフロー管１０Ｂが左右の中央寄りに配置されることで、全体としてシンメトリー（左右対称）の形態とされている。
【００６１】
植栽容器Ａは、例えば図１０に示すように、専用の取付け手段３０によって壁面に固定することが可能である。この取付け手段３０は、壁面にアンカー状に打ち込まれる脚部と、植栽容器Ａの左右の操作凹部６に側方から係入する頭部３０Ａとを備え、この方法によって任意の数量の植栽容器Ａを壁面に固定することが可能である。
【産業上の利用可能性】
【００６２】
植栽用水を貯留可能な貯水部と吸水性の植栽床材を載置可能な植栽用空間とを有する植栽容器、及び、同植栽容器と同植栽容器を囲むように支持するフレーム部材とを有する植栽具に従来見られた課題を解決するための技術として利用可能な発明である。
【符号の説明】
【００６３】
Ａ      植栽容器
Ａ１    正面壁部（前後面）
Ａ２    背面壁部（前後面）
Ｂ      植栽床材
Ｃ      フレーム
Ｈ      植栽用貫通孔
Ｐ      植物
Ｗ      植栽用水
５      窓形成予定線
５Ａ    除去部
５Ｂ    植栽用窓部（開口部、補助開口部）
８      支持突起（支持部）
１０    オーバーフロー部
１０Ｂ  オーバーフロー管
１４    水位確認部
２２    下部貫通孔（補助係止開口部）
２４    水位確認窓（係止開口部）
【図１】
0005851324.tif 000002
【図２】
0005851324.tif 000003
【図３】
0005851324.tif 000004
【図４】
0005851324.tif 000005
【図５】
0005851324.tif 000006
【図６】
0005851324.tif 000007
【図７】
0005851324.tif 000008
【図８】
0005851324.tif 000009
【図９】
0005851324.tif 000010
【図１０】
0005851324.tif 000011